(57)【要約】【課題】エネルギーロスが少なく大風量と高速の風を同時に噴出することができる手乾燥装置を提供することを目的とする。【解決手段】外部に向かって開口した挿入口から手を抜き差しできる乾燥室１と、乾燥室１に向けて空気を送出するノズル部２と、ノズル部２から空気を送出するファンモータ５を備えた手乾燥装置であって、ファンモータ５の軸方向の吸込口７からの吸い込んだ空気を、軸に対して垂直な方向に、かつファンモータ５のシャフト１０を固体する二つの軸受け１１の端面に接する二平面に囲まれた領域よりもファン１７側に空気を吹出すことにより、大風量かつ高速で短時間乾燥を実現する手乾燥装置を得られる。【選択図】図１
2007301278.tif 000002
【特許請求の範囲】
【請求項１】
外部に向かって開口した挿入口から手を抜き差しできる乾燥室と、前記乾燥室に向けて空気を送出するノズル部と、前記ノズル部から空気を送出するファンモータを備えた手乾燥装置であって、前記ファンモータの軸方向の吸込口からの吸い込んだ空気を、軸に対して垂直な方向に、かつファンモータのシャフトを固定する二つの軸受けの端面に接する二平面に囲まれた領域よりもファン側に空気を吹出すことを特徴とする手乾燥装置。
【請求項２】
吸込口から空気を吸い込む前に、二つの軸受けの端面に接する二平面に囲まれた領域を風路の一部として空気を通過させたことを特徴とする請求項１記載の手乾燥装置。
【請求項３】
ファンモータより吹出した空気の一部を、二つの軸受けの端面に接する二平面に囲まれた領域に送風する風路を設けたことを特徴とする請求項１記載の手乾燥装置。
【請求項４】
ノズル部とファンモータの間に、ヒーターを設けたことを特徴とする請求項１記載の手乾燥装置。
【請求項５】
ファンモータの吸込み口の前に、ヒーターを設けたことを特徴とする請求項１記載の手乾燥装置。
【請求項６】
ファンモータより吹出した空気を、スクロール状のスクロールケーシングに沿ってノズル部へ送出したことを特徴とする請求項１または３記載の手乾燥装置。
【請求項７】
ノズル部に、複数の吹出し口を設けたことを特徴とする請求項１、４、６のいずれかに記載の手乾燥装置。
【請求項８】
ノズル部の吹出し口下方から風路をみたときファンモータが見えない風路構成にしたことを特徴とする請求項１、４、６、７のいずれかに記載の手乾燥装置。
【請求項９】
ファンモータの吸込口に対向する面に、吸音材を設けたことを特徴とする請求項１記載の手乾燥装置。
【発明の詳細な説明】
【技術分野】
【０００１】
本発明は、洗面所やトイレなどで手を洗った場合、濡れた手を乾燥させる手乾燥に関する。
【背景技術】
【０００２】
従来、この種の手乾燥装置では、温風式タイプとジェット式タイプのものが知られている（例えば、特許文献１、２参照）。
【０００３】
以下、その手乾燥装置について図１１および図１２を参照しながら説明する。
【０００４】
図１１に示すように、従来の手乾燥装置は、モータ１０１とこれにより回転するシロッコ羽根１０２とからなる送風手段と、ヒーター１０３による加熱手段とにより構成されている。送風手段はシロッコ羽根１０２の回転により、乾燥室１０４に吹出す空気流を形成し、ヒーター１０３は送風手段で形成される空気流を加熱し、乾燥室１０４に吹き出す空気流を熱風とする。
【０００５】
また、図１２に示すように、手を抜き差しできる乾燥室１０５に、高圧空気流発生部１０６により生成される高い運動エネルギーを持つ高速空気流をノズル部１０７から噴出するように構成されている。なお、高圧空気流発生部１０６は、ターボファン１０８とガイドベーン１０９を備えたファンモータ１１０が入っている。乾燥室１０５に濡れた手を入れるとノズル部１０７から高速気流が噴出し、乾燥室１０５から手を引き抜くと手に付着した水分が気流以外とは非接触のまま手から短時間で吹き飛ばされ衛生的に乾燥処理がされる。
【特許文献１】特開平６−１５４１２５号公報
【特許文献２】特開平１１−１１３７９１号公報
【発明の開示】
【発明が解決しようとする課題】
【０００６】
しかしながら、前者の温風式タイプの手乾燥装置は、シロッコ羽根１０２より大風量の空気流を吹き出すことはできるが熱で蒸発させる方式であり、ノズル部がないため風速が遅く乾燥に時間がかかり使用にわずらわしさが伴う。
【０００７】
また、後者のジェット式タイプの手乾燥装置は、ノズル部１０７より高速空気流を噴出すために高圧空気流発生部１０６が必要であるが、高圧空気流を発生させるために、高圧空気流発生部１０６の中にターボファン１０８とガイドベーン１０９を備えたファンモータ１１０を使用していた。ファンモータ１１０の吸込口より軸方向から吸い込んだ風を、ターボファン１０８で円周横方向へ吹き出した後、ガイドベーン１０９を通過させ圧力を高め、再度、軸方向へ向きを変えてファンモータ１１０の外郭開口部より空気流が噴出し、最後にノズル部１０７を通過し高速高圧の空気流を得る。しかしながら、このような従来の方法では、ガイドベーン１０９とファンモータ１１０の内部を通過する風路抵抗によりエネルギーのロスが多く、風量が減少するという課題があり、エネルギーロスなく大風量をノズル部１０７から噴出することが要求されている。
【０００８】
本発明は、このような従来の課題を解決するものであり、エネルギーロスなく大風量をノズル部から噴出する手乾燥装置を提供することを目的とする。
【課題を解決するための手段】
【０００９】
本発明の手乾燥装置は上記目的を達成するために、外部に向かって開口した挿入口から手を抜き差しできる乾燥室と、前記乾燥室に向けて空気を送出するノズル部と、前記ノズル部から空気を送出するファンモータを備えた手乾燥装置であって、前記ファンモータの軸方向の吸込口からの吸い込んだ空気を、軸に対して垂直な方向に、かつファンモータのシャフトを固定する二つの軸受けの端面に接する二平面に囲まれた領域よりもファン側に空気を吹出すものである。
【００１０】
この手段により、ノズル部から大風量かつ高速の空気を吹き出すことができるため、乾燥時間の短縮を実現する手乾燥装置が得られる。
【００１１】
また、他の手段は、吸込口から空気を吸い込む前に、ファンモータのシャフトを固定する二つの軸受けの端面に接する二平面に囲まれた領域を風路の一部として空気を通過させたものである。
【００１２】
この手段により、モータの巻き線を冷却し高温になるのを防ぎ安全に駆動させることができるとともに、巻き線の熱を奪って空気を暖め、かつノズル部から大風量かつ高速の空気を吹き出すことができるため、安全で乾燥時間の短縮を実現する手乾燥装置が得られる。
【００１３】
また、他の手段は、ファンモータより吹出した空気の一部を、二つの軸受けの端面に接する二平面に囲まれた領域に送風する風路を設けたものである。
【００１４】
この手段により、モータの巻き線を冷却し高温になるのを防ぎ安全に駆動させることができるとともに、巻き線の熱を奪って空気を暖め、かつノズル部から大風量かつ高速の空気を吹き出すことができるため、安全で乾燥時間の短縮を実現する手乾燥装置が得られる。
【００１５】
また、他の手段は、ノズル部とファンモータの間に、ヒーターを設けたものである。
【００１６】
この手段により、大風量かつ温風により乾燥時間の短縮を実現する手乾燥装置が得られる。
【００１７】
また、他の手段は、ファンモータの吸込み口の前に、ヒーターを設けたものである。
【００１８】
この手段により、大風量かつ温風により乾燥時間の短縮を実現する手乾燥装置が得られる。
【００１９】
また、他の手段は、ファンモータより吹出した空気を、スクロール状のスクロールケーシングに沿ってノズル部へ送出するものである。
【００２０】
この手段により、騒音が低くかつ、乾燥時間の短縮を実現する手乾燥装置が得られる。
【００２１】
また、他の手段は、ノズル部に複数の吹出し口を設けたものである。
【００２２】
この手段により、衛生的で乾燥時間の短縮を実現する手乾燥装置が得られる。
【００２３】
また、他の手段は、ノズル部の吹出し口下方から風路をみたときファンモータが見えない風路構成にしたものである。
【００２４】
この手段により、騒音が低い手乾燥装置が得られる。
【００２５】
また、他の手段は、ファンモータの吸込口に対向する面に、吸音材を設けたものである  。この手段により、騒音の低い手乾燥装置が得られる。
【発明の効果】
【００２６】
本発明によれば、外部に向かって開口した挿入口から手を抜き差しできる乾燥室と、前記乾燥室に向けて空気を送出するノズル部と、前記ノズル部から空気を送出するファンモータを備えた手乾燥装置であって、前記ファンモータの軸方向の吸込口からの吸い込んだ空気を、ファンモータのシャフトを固定する二つの軸受けの端面に接する二平面に囲まれた領域よりもファン側で、軸と垂直な方向に空気を吹出すことにより、ファンからの噴出した空気をエネルギーロスなくノズル部に送ることができるため、大風量かつ高速の空気で乾燥時間を短縮できる手乾燥装置を提供できる。
【００２７】
また、ファンモータの吸込口から空気を吸い込む前に、ファンモータのシャフトを固定する二つの軸受けの端面に接する二平面に囲まれた領域を風路の一部として空気を通過させることにより、モータの巻き線を冷却し高温になるのを防ぎ安全に駆動させることができるとともに、巻き線の熱を奪って空気を暖め、かつノズル部から大風量かつ高速の空気を吹き出すことができるため、安全で大風量かつ高速の空気で乾燥時間を短縮できる手乾燥装置を提供できる。
【００２８】
また、ファンモータより吹出した空気の一部を、二つの軸受けの端面に接する二平面に囲まれた領域に送風する風路を設けることにより、モータの巻き線を冷却し高温になるのを防ぎ安全に駆動させることができるとともに、巻き線の熱を奪って空気を暖め、かつノズル部から大風量かつ高速の空気を吹き出すことができるため、安全で大風量かつ高速の空気で乾燥時間を短縮できる手乾燥装置を提供できる。
【００２９】
また、ノズル部とファンモータの間に、ヒーターを設けたことにより、大風量かつ高速の温風により乾燥時間を短縮できる手乾燥装置を提供できる。
【００３０】
また、ファンモータの吸込み口の前に、ヒーターを設けたことにより、大風量かつ高速の温風により乾燥時間を短縮できる手乾燥装置を提供できる。
【００３１】
また、ファンモータより吹出した空気を、スクロール状のスクロールケーシングに沿ってノズル部へ送出することにより、騒音が低くかつ、乾燥時間を短縮できる手乾燥装置を提供できる。
【００３２】
また、ノズル部に複数の吹出し口を設けることにより、衛生的で乾燥時間を短縮できる手乾燥装置を提供できる。
【００３３】
また、ノズル部の吹出し口下方から風路をみたときファンモータが見えない風路構成にすることにより、騒音が低い手乾燥装置を提供できる。
【００３４】
また、ファンモータの吸込口に対向する面に、吸音材を設けることにより騒音の低い手乾燥装置を提供できる。
【発明を実施するための最良の形態】
【００３５】
本発明の請求項１記載の手乾燥装置は、外部に向かって開口した挿入口から手を抜き差しできる乾燥室と、前記乾燥室に向けて空気を送出するノズル部と、前記ノズル部から空気を送出するファンモータを備えた手乾燥装置であって、前記ファンモータの軸方向の吸込口からの吸い込んだ空気を、軸に対して垂直な方向に、かつファンモータのシャフトを固定する二つの軸受けの端面に接する二平面に囲まれた領域よりもファン側に空気を吹出すものであり、ファンからの噴出した空気をエネルギーロスなくノズル部に送ることができるので、ノズルから大風量かつ高速の空気で乾燥時間が短縮できるという作用を有する。
【００３６】
また、本発明の請求項２記載の手乾燥装置は、吸込口から空気を吸い込む前に、ファンモータのシャフトを固定する二つの軸受けの端面に接する二平面に囲まれた領域を風路の一部として空気を通過させることにより、モータの巻き線を冷却し高温になるのを防ぎ安全に駆動させることができるとともに、巻き線の熱を奪って空気を暖め、かつノズル部から大風量かつ高速の空気を吹き出すことができるため、安全で大風量かつ高速の空気で乾燥時間を短縮することができるという作用を有する。
【００３７】
また、本発明の請求項３記載の手乾燥装置は、ファンモータより吹出した空気の一部を、二つの軸受けの端面に接する二平面に囲まれた領域に送風する風路を設けることにより、モータの巻き線を冷却し高温になるのを防ぎ安全に駆動させることができるとともに、巻き線の熱を奪って空気を暖め、かつノズル部から大風量かつ高速の空気を吹き出すことができるため、安全で大風量かつ高速の空気で乾燥時間を短縮できるという作用を有する。
【００３８】
また、本発明の請求項４記載の手乾燥装置は、ノズル部とファンモータの間に、ヒーターを設けたものであり、大風量かつ高速の温風により乾燥時間を短縮することができるという作用を有する。
【００３９】
また、本発明の請求項５記載の手乾燥装置は、ファンモータの吸込み口の前に、ヒーターを設けたものであり、大風量かつ高速の温風により乾燥時間を短縮することができるという作用を有する。
【００４０】
また、本発明の請求項６記載の手乾燥装置は、ファンモータより吹出した空気を、スクロール状のスクロールケーシングに沿ってノズル部へ送出するものであり、騒音が低くかつ、乾燥時間を短縮することができるという作用を有する。
【００４１】
また、本発明の請求項７記載の手乾燥装置は、ノズル部に複数の吹出し口を設けたもので、衛生的で乾燥時間を短縮することができるという作用を有する。
【００４２】
また、本発明の請求項８記載の手乾燥装置は、ノズル部の吹出し口下方から風路をみたときファンモータが見えない風路構成にしたものであり、騒音が低くすることができるという作用を有する。
【００４３】
また、本発明の請求項９記載の手乾燥装置は、ファンモータの吸込口に対向する面に、吸音材を設けたもので、騒音を低くすることができるという作用を有する。
【００４４】
以下、本発明の実施の形態について図面を参照しながら説明する。
【００４５】
（実施の形態１）
まず、図１を用いて、本実施の形態による手乾燥装置の外観形状について説明する。
【００４６】
図１は、手乾燥装置の側構成図である。
【００４７】
図１に示すように、手乾燥装置は、装置本体の下部に乾燥室１を形成している。乾燥室１は、濡れた手を挿入できるよう凹状の空間を形成している。乾燥室１の上方には、ノズル部２とセンサー３が設けられている。装置本体は、フロントケース４に覆われており、内部にはファンモータ５およびヒーター６が設置されている。本体吸込口７から吸い込まれた空気は、ファンモータ５によって送風されノズル部２より乾燥室１に向かって噴出される。ノズル部２から噴出された高速の噴流は手についた水滴を吹き飛ばし、乾燥室１の底部の排水口８よりドレンカップ９に集められる。
【００４８】
本体吸込口７より吸い込まれた空気は、ファンモータ５のシャフト１０を固定する軸受け１１の端面に接する二平面（平面１、平面２）に囲まれた領域を通過する。ここで、二平面に囲まれた領域とは、ファンモータ５の巻線部１２を含むファンモータ５の外郭周辺の領域であり、風路の一部を形成している。吸い込まれた空気はファンモータ５の巻線部１２を冷却しながら、リアケース１３とフロントケース４の間の風路を通過し、ケーシング１４のモータ吸込口１５からシャフト１０の軸方向より空気が吸い込まれる。モータ吸込口１５の対向する面には吸音材１６が設置され、ファン１７から発生する騒音を吸収している。その後、ファン１７よりシャフト１０の軸方向に対して垂直な方向で、かつファン１７側の領域に吹き出した空気は、ケーシング１４の内壁に沿って流れ、ヒーター６を通過した後ノズル部２へ送出される。
【００４９】
これにより、ファン１７からでた空気をガイドベーンなどを通過させることなくノズル部２へ送ることができるので、エネルギーロスが少なく  大風量の風をノズル部２から直接吹き出すことができ、乾燥時間を短縮することができる。
【００５０】
次に、図２に同装置のファンモータ周辺部の分解構成図を示す。
【００５１】
シャフト１０と巻線部１２を含むモータ外郭１８とファン１７、その両者の間にガイドプレート１９を設けた構造になっており、その上部をケーシング１４で覆うことにより風路を構成している。また、モータ外郭１８の振動を抑制するためにモータ固定ゴム２０が使用される。よって、従来のファンモータに存在するガイドベーンは存在しないため、コストの削減になる。
【００５２】
なお、風路を構成するガイドプレート１９のガイドは、ケーシング１４側に設けてもよい。
【００５３】
また、モータ外郭１８およびヒーター６の熱の影響を受けるため材質は耐熱性のある樹脂で、ＰＢＴ、ＰＥＴ、ナイロンなどが望ましく、ガラスを混合してもよい。
【００５４】
また、図３に示すように、ガイドプレート１９の一部に、穴を設け、ファンモータ５のシャフト１０を固体する二つの軸受け１１の端面に接する二平面（平面１、平面２）に囲まれた領域に風が流れるような風路２１をつくってもよい。
【００５５】
次に、図４に同装置の分解構成図を示す。
【００５６】
リアケース１３を土台にして、部品を重ねていく構成になっている。これにより製造する際に必要な時間を短縮でき生産性が向上する。
【００５７】
まず、モータ外郭１８にモータ固定ゴム２０を取り付け、モータ外郭１８とファン１７の間にガイドプレート１９を取り付ける。次に、モータ吸込口１５を有し吹き出し風路を構成するケーシング１４を設置し、そこへノズル部２を取り付ける。ノズル部２には手を挿入した際に製品を起動させるためのセンサー３と、空気流を暖めるためのヒーター６を設けている。この状態で、リアケース１３にＰＣＢ基盤２２を設置しリード線で結線する。最後にフロントケース４をかぶせる構造となっている。
【００５８】
次に、図５に示すように、スクロールケーシングを用いた手乾燥装置の正面図を示す。
【００５９】
ファンモータ５に吸い込まれた空気は、ファン１７より渦巻状のスクロールケーシング２３を通過してノズル部２へと送られる。これによりファン１７からでた風を遠心方向にスムーズに送り出すことができる。また渦巻状にすることで、ノズル部２までの風路を長くすることができるため、騒音の発生源となるファン１７の騒音を減衰させるとともに、渦巻状の壁により遮音することができる。少なくともガイドを１周以上させることで、ノズル部２の吹出口からファン１７が直接見えなくなり放射する音を遮音することができる。
【００６０】
なお、渦巻きの形状は平面的にスクロールするだけではなく、スパイラル上に立体的に構成してもよい。
【００６１】
また、ケーシング内のファン１７とガイド壁が最も近接する舌部は、騒音に大きい影響を及ぼすため、ファン１７径の１／１０程度にするとよい。
【００６２】
また、内壁に吸音材を貼る構成としてもよい。
【００６３】
次に、図６に吸込み風路構成図、図７に、吸込み風路斜視図を示す。
【００６４】
ノズル部２の吹出口および本体吸込口７よりファンモータ５が見えない構造としたものである。本体吸込口７から入った風は、２方向に別れ、風路内に設けられた遮音壁２４の風路を少なくとも左右上下１回以上、立体的に折れ曲がりながら、ファンモータ５の巻線部１２を冷却しながら、モータ吸込口１５へ送られる。これにより、音源からの風路を長くすることができるため騒音の低減ができる。このとき、風路の一部に基板のヒートシンク２５を設置することで、ＰＣＢ基板２２の発熱を抑えることができる。その後、取付壁に対して垂直上向き方向に流れケーシング１４のモータ吸込口１５より吸い込まれる。
【００６５】
次に、図８にノズル配置図を示す。
【００６６】
ノズル部２は複数の長孔によって構成されている。これにより、手のひらまたは手の甲に風圧を受けやすく乾燥感を高めることができる。長孔から噴出される風速は約８０ｍ／ｓから１３０ｍ／ｓ程度のジェット流である。
【００６７】
長孔３０は、ノズル部２の前面側の位置に、手挿入方向に対して垂直な方向に形成している。
【００６８】
長孔３１Ａ及び長孔３２Ａは、長孔３０よりも背面側の位置に形成している。長孔３１Ａ及び長孔３１Ｂは、前面側端部よりも後方側端部をノズル部２の中心側に配置して形成している。長孔３２Ａと長孔３２Ｂとは、所定間隔空けて平行に設けている。
【００６９】
本実施例によれば、長孔からの吹出し風が手の小指側の端面や、親指と人差し指の間の水滴の取れにくい部分に効果的に当たるため乾燥時間の短縮ができる。また、ノズル部２の中心より吹き出し風量が多くなるため、手挿入後に手揉みによる乾燥効果を高めることができる。
【００７０】
なお、当然のことながら長孔３０のみの構成としてもよい。
【００７１】
（実施の形態２）
図９に示すように、ヒーター６の位置は本体吸込口７とモータ吸込口１５の間に設置したものである。
【００７２】
なお、ケーシング１４はファン１７の形状に沿ったしぼり形状にしてもよい。
【００７３】
この構成により、ファン１７の手前にヒーター６があるため、ファン１７で温風が撹拌・混合され温度ムラのない風をノズル部２より吹き出すことができる。
【００７４】
（実施の形態３）
図１０の分解図に示すように、実施の形態１に示すガイドプレート１９を使用せずファン１７とモータ外郭１８を分離しないファンモータ５単体を、リアケース１３とケーシング１４の間に組み込んだものである。
【００７５】
これにより組み立てが容易で製造の時間を短縮できるとともに、コストの削減ができる。
【産業上の利用可能性】
【００７６】
本発明の手乾燥装置は、レストランやホテルなどの洗面所やトイレに設置され、また病院の手術室や調理場において利用される。
【図面の簡単な説明】
【００７７】
【図１】本発明の実施の形態１による手乾燥装置の側構成図
【図２】同手乾燥装置のノズルとファンモータ分解構成図
【図３】同手乾燥装置のガイドプレートに風路を設けた側構成図
【図４】同手乾燥装置の分解構成図
【図５】同手乾燥装置のスクロールケーシングを使用した正面図
【図６】同手乾燥装置の吸込み風路構成図
【図７】同手乾燥装置の吸込み風路斜視図
【図８】同手乾燥装置のノズル配置図
【図９】本発明の実施の形態２による手乾燥装置の側構成図
【図１０】本発明の実施の形態３による手乾燥装置の分解構成図
【図１１】従来の手乾燥装置の側構成図
【図１２】同手乾燥装置の別形態での側構成図
【符号の説明】
【００７８】
１    乾燥室
２    ノズル部
５    ファンモータ
６    ヒーター
１１  軸受け
１４  ケーシング
１６  吸音材
１７  ファン
２１  風路
２３  スクロールケーシング
【図１】
2007301278.tif 000003
【図２】
2007301278.tif 000004
【図３】
2007301278.tif 000005
【図４】
2007301278.tif 000006
【図５】
2007301278.tif 000007
【図６】
2007301278.tif 000008
【図７】
2007301278.tif 000009
【図８】
2007301278.tif 000010
【図９】
2007301278.tif 000011
【図１０】
2007301278.tif 000012
【図１１】
2007301278.tif 000013
【図１２】
2007301278.tif 000014